(57)【要約】  上半身衣類（１）は、着用者の胸周りを覆うように構成されたバスト部（５）を有する本体部（２）と、左右一対のカップ（１１，１１）が前中心側の連結部（１２）によって連結された一体成型のカップ体（４）と、バスト部（５）においてカップ体（４）を着脱自在に収容する収容ポケット（Ｓ）と、を備え、収容ポケット（Ｓ）における前中心部分の裏側には、左右一対のカップ（１１，１１）の連結方向に延びる開口部（１５）が設けられている。
2019198214.tif 000002
【特許請求の範囲】
【請求項１】
着用者の胸周りを覆うように構成されたバスト部を有する本体部と、  左右一対のカップが前中心側の連結部によって連結された一体成型のカップ体と、  前記バスト部において前記カップ体を着脱自在に収容する収容ポケットと、を備え、  前記収容ポケットにおける前中心部分の裏側には、前記左右一対のカップの連結方向に延びる開口部が設けられている、上半身衣類。
【請求項２】
前記開口部は、前記カップ体の前記連結部の縁部と重ならない位置に設けられている、請求項１記載の上半身衣類。
【請求項３】
前記開口部の前記連結方向の長さは、前記カップ体の前記連結部の上下幅よりも大きく、かつ前記カップの上下幅よりも小さくなっている、請求項１又は２記載の上半身衣類。
【請求項４】
前記開口部は、前記前中心部分において前記カップ体の前記連結部の上縁部よりも上方に位置している、請求項１〜３のいずれか一項記載の上半身衣類。
【請求項５】
前記開口部は、前記前中心部分において前記カップ体の前記連結部の下縁部よりも下方に位置している、請求項１〜３のいずれか一項記載の上半身衣類。
【請求項６】
前記収容ポケットは、前記バスト部において前記本体部の裏側に裏当部を結合することによって形成されており、  前記本体部と前記裏当部との結合領域には、接着部が点在している請求項１〜５のいずれか一項記載の上半身衣類。
【請求項７】
前記本体部と前記裏当部との結合領域の縁には、前記前中心部分において凹部が設けられており、  前記開口部は、前記凹部の位置に設けられている、請求項６記載の上半身衣類。
【請求項８】
前記接着部のうち、前記開口部における前記連結方向の端部に最も近接している接着部は、前記開口部の延在方向に交差する方向に延在した形状を有している、請求項６又は７記載の上半身衣類。
【請求項９】
前記開口部は、前記前中心部分において前記カップ体の連結部に重なるように位置している、請求項１〜３のいずれか一項記載の上半身衣類。
【発明の詳細な説明】
【技術分野】
【０００１】  本発明は、上半身衣類に関する。
【背景技術】
【０００２】  従来、ハーフトップ等の上半身衣類では、バストの整形や着用者の乳頭が透けてしまうことの防止などを目的として、カップを着脱自在に配置できるものがある。カップ及びカップが配置される収容ポケットの形状は多様である。例えばバスト部の両脇にそれぞれ設けた収容ポケットに左右のカップをそれぞれ配置するタイプのものや、特許文献１に記載のブラジャーのように、上方に開口する収容ポケットに左右一体のカップ体を配置するタイプのものが存在している。
【先行技術文献】
【特許文献】
【０００３】
【特許文献１】実開昭６３−８５６０６号公報
【発明の概要】
【発明が解決しようとする課題】
【０００４】  しかしながら、例えば特許文献１に記載のブラジャーでは、収容ポケットに対するカップ体の着脱容易性は確保できるものの、着用時のカップ体の位置が安定し難く、種々の動作の際にカップ体がバストからずれてしまうことが考えられる。このため、バストシルエットを整えるためには、着用後にカップ体の位置を手直しする必要があり、着用の際の煩わしさが生じる問題があった。【０００５】  本発明は、上記課題の解決のためになされたものであり、着脱自在のカップ体を着用者のバストに対して安定して密着させることができる上半身衣類を提供することを目的とする。
【課題を解決するための手段】
【０００６】  本発明の一側面に係る上半身衣類は、着用者の胸周りを覆うように構成されたバスト部を有する本体部と、左右一対のカップが前中心側の連結部によって連結された一体成型のカップ体と、バスト部においてカップ体を着脱自在に収容する収容ポケットと、を備え、収容ポケットにおける前中心部分の裏側には、左右一対のカップの連結方向に延びる開口部が設けられている。【０００７】  この上半身衣類では、左右一対のカップが前中心側の連結部によって連結された一体成型のカップ体が用いられている。カップ体が収容される収容ポケットには、前中心部分において左右一対のカップの連結方向に延びる開口部が設けられている。この開口部により、収容ポケットに対するカップ体の着脱が容易となる。また、上方に開口する収容ポケットを採用する場合とは異なり、収容ポケットに収容されたカップ体の位置ずれや回転を防ぐことが可能となる。したがって、着用後にカップ体の位置を手直しする必要もなく、着脱自在のカップ体を着用者のバストに対して安定して密着させることができる。開口部の延在方向と左右一対のカップの連結方向とが揃うことで、開口部からのカップ体のはみ出しを抑制できる。したがって、カップ体が肌に当たることを抑制でき、着用時の肌当たりを良好に保つことができる。【０００８】  開口部は、カップ体の連結部の縁部と重ならない位置に設けられていてもよい。この場合、カップ体の連結部の縁部が肌に当たることを防止できる。したがって、連結部の縁部による段差が肌に当たらなくなることで、着用時の肌当たりを一層良好に保つことができる。【０００９】  開口部の連結方向の長さは、カップ体の連結部の上下幅よりも大きく、かつカップの上下幅よりも小さくなっていてもよい。これにより、収容ポケットに対するカップ体の着脱容易性と、収容ポケット内でのカップ体の安定性とを好適に両立できる。【００１０】  開口部は、前中心部分においてカップ体の連結部の上縁部よりも上方に位置していてもよい。この場合、開口部とカップ体とが重ならなくなるため、開口部からのカップ体のはみ出しをより確実に抑制できる。したがって、カップ体が肌に当たることを更に抑制でき、着用時の肌当たりを一層良好に保つことができる。【００１１】  開口部は、前中心部分においてカップ体の連結部の下縁部よりも下方に位置していてもよい。この場合、開口部とカップ体とが重ならなくなるため、開口部からのカップ体のはみ出しをより確実に抑制できる。したがって、カップ体が肌に当たることを更に抑制でき、着用時の肌当たりを一層良好に保つことができる。また、着用状態のままでも収容ポケットからカップ体を容易に脱抜することが可能となる。【００１２】  収容ポケットは、バスト部において本体部の裏側に裏当部を結合することによって形成されており、本体部と裏当部との結合領域には、接着部が点在していてもよい。この場合、収容ポケットを十分な強度で形成することができる。【００１３】  本体部と裏当部との結合領域の縁には、前中心部分において凹部が設けられており、開口部は、凹部の位置に設けられていてもよい。こうすると、開口部を囲うように本体部と裏当部との結合領域を近接配置することが可能となる。開口��は、カップ体の着脱の際などに力がかかり易い部分である。したがって、開口部に結合領域を近接配置することで、開口部の耐久性を高めることができる。【００１４】  接着部のうち、開口部における連結方向の端部に最も近接している接着部は、開口部の延在方向に交差する方向に延在した形状を有していてもよい。これにより、開口部における連結方向の端部付近での本体部と裏当部との結合強度が十分に高められる。開口部における連結方向の端部は、カップ体の着脱の際などに最も力がかかり易い部分である。したがって、開口部における連結方向の端部付近の結合強度を高めることで、開口部の耐久性を一層高めることができる。【００１５】  開口部は、前中心部分においてカップ体の連結部と重なるように位置していてもよい。この場合、着用状態のままでも収容ポケットからカップ体を容易に脱抜することが可能となる。
【発明の効果】
【００１６】  この上半身衣類によれば、着脱自在のカップ体を着用者のバストに対して安定して密着させることができる。
【図面の簡単な説明】
【００１７】
【図１】第１実施形態に係る上半身衣類を示す正面図である。
【図２】図１に示した上半身衣類の背面図である。
【図３】上半身衣類に適用されるカップ体の一例を示す正面図である。
【図４】図１に示した上半身衣類を裏返して示す正面図である。
【図５】図４における要部拡大図である。
【図６】第２実施形態に係る上半身衣類を裏返して示す正面図である。
【図７】第３実施形態に係る上半身衣類を裏返して示す正面図である。
【図８】開口部の形状の変形例を示す図である。
【発明を実施するための形態】
【００１８】  以下、図面を参照しながら、本発明の一側面に係る上半身衣類の好適な実施形態について詳細に説明する。なお、以下の説明では、便宜上、上半身衣類の着用状態を想定して「上」「下」等の用語を使用する。［第１実施形態］
【００１９】  図１は、第１実施形態に係る上半身衣類を示す正面図である。また、図２は、その背面図である。図１及び図２に示す上半身衣類１は、例えばハーフトップとして構成されている。ハーフトップは、タンクトップと比較して丈が短く、着用者の腹部及び腰部が露出するようになっている。上半身衣類１は、着用者のバスト周りの胴部を覆うように構成された本体部２と、左右一対の肩ストラップ部３と、着用者のバストを覆うカップ体４とを備えている。
【００２０】  本体部２は、例えば端始末不要の伸縮性を有する生地によって形成されている。このような生地としては、例えばベアスムースなどが挙げられる。本体部２の正面側は、着用者のバストを覆うバスト部５となっている（図１参照）。また、本体部２の背面側は、着用者の背部の上側を覆う背部上部６となっている（図２参照）。バスト部５と背部上部６とは、本体部２の両脇で連続し、着用者の胸周りを包囲するように筒状をなしている。
【００２１】  バスト部５の上縁部５ａ及び背部上部６の上縁部６ａは、上半身衣類１の首刳りに相当し、いずれも下方に向かって緩やかな凹状をなしている。バスト部５の下縁部５ｂ及び背部上部６の下縁部６ｂは、上半身衣類１の裾に相当し、横方向に延びる直線状となっている。バスト部５の左右の脇側上部５ｃ，５ｃ及び背部上部６の左右の脇側上部６ｃ，６ｃは、上半身衣類１の袖刳りに相当し、いずれも中心側に向かって緩やかな凹状をなしている。バスト部５の左右の脇側下部５ｄ，５ｄ及び背部上部６の左右の脇側下部６ｄ，６ｄは、上半身衣類１の脇裾に相当し、下方に向かって本体部２の身幅が小さくなるように垂下する直線状をなしている。
【００２２】  肩ストラップ部３は、バスト部５の上縁部５ａと背部上部６の上縁部６ａとを繋ぐように帯状に設けられている。本実施形態では、肩ストラップ部３は、例えば本体部２と同じ端始末不要の伸縮性を有する生地によって、本体部２と一体に形成されている。肩ストラップ部３は、着用時に着用者の両肩にそれぞれ正面から背面にかけて掛け渡され、上半身衣類１の装着をサポートする。
【００２３】  カップ体４は、バストの整形や着用者の乳頭が透けてしまうことの防止などを目的としてバスト部５に配置されている。カップ体４は、図３に示すように、左右一対のカップ１１，１１と、カップ１１，１１を前中心側で連結する連結部１２とを有している。本実施形態では、カップ１１，１１及び連結部１２は、例えばウレタンなどの弾性材料を用いたモールド成型による一体成型品となっている。カップ１１は、パッドと称してもよい。
【００２４】  カップ１１は、全体として着用者のバスト形状に対応する椀形状をなしており、正面視においては円に近い形状を有している。連結部１２は、左右のカップ１１，１１に対して上下に括れた形状をなしている。すなわち、連結部１２の上縁部１２ａは下方に向かって湾曲し、連結部１２の下縁部１２ｂは、上方に向かって湾曲している。カップ体４が着用者のバストのバージスラインに沿い易くなるように、下縁部１２ｂの湾曲度は、上縁部１２ａの湾曲度よりも大きくなっている。なお、下縁部１２ｂの湾曲度は、上縁部１２ａの湾曲度と同等であってもよく、上縁部１２ａの湾曲度よりも小さくなっていてもよい。
【００２５】  続いて、上述したバスト部５の構成について更に詳細に説明する。
【００２６】  図４は、図１に示した上半身衣類を裏返して示す正面図である。同図に示すように、上半身衣類１では、バスト部５の裏側（肌側）に裏当部１３が結合されている。この裏当部１３の結合により、バスト部５の裏側には、カップ体４を収容する収容ポケットＳが形成されている。収容ポケットＳの形成にあたり、裏当部１３との結合後にバスト部５及び裏当部１３への熱成型加工が施されてもよい。これにより、バスト部５において生地の立体感を造形でき、着用者のバスト形状及びカップ体４の膨らみに対応した収容ポケットＳを構成できる。この場合、バスト部５及び裏当部１３の伸縮性、伸長回復性などの素材特性により、バスト部５及び裏当部１３のそれぞれに熱成型加工を施すか否かを選定することが好ましい。これにより、バスト部５の着圧が適切に調整され、バストの安定感が高められる。
【００２７】  裏当部１３は、例えば本体部２と同じ端始末不要の伸縮性を有する生地によって形成されている。裏当部１３の上縁部１３ａは、バスト部５の上縁部５ａの湾曲形状に沿うように、下方に向かって緩やかな凹状をなしている。裏当部１３の上縁部１３ａの両脇部分には、肩ストラップ部３の本体部２側の端部と同程度の幅で上方に張り出す張出部１４がそれぞれ設けられている。張出部１４は、肩ストラップ部３の端部に重ね合され、肩ストラップ部３の伸びが過剰になることを抑制する。裏当部１３の下縁部１３ｂは、カップ体４の下縁部分の形状に対応した湾曲形状をなしている。
【００２８】  裏当部１３の下縁部１３ｂの中央部分は、連結部１２の下縁部１２ｂの湾曲形状に応じて上方に向かって湾曲している。この裏当部１３の下縁部１３ｂの中央部分の湾曲度は、連結部１２の下縁部１２ｂの湾曲度よりも小さく、例えば連結部１２の上縁部１２ａの湾曲度と同程度となっている。なお、裏当部１３の下縁部１３ｂは、直線状であってもよい。裏当部１３の左右の脇側上部１３ｃ，１３ｃは、バスト部５の左右の脇側上部５ｃ，５ｃの湾曲形状に沿った湾曲形状をなしている。また、裏当部１３の左右の脇側下部１３ｄ，１３ｄは、バスト部５の脇側下部５ｄ，５ｄの上側に沿った略直線状をなしている。
【００２９】  裏当部１３の前中心部分には、カップ体４におけるカップ１１、１１の連結方向（すなわち、上半身衣類１を正面から見た場合の左右方向）に延びる開口部１５が形成されている。開口部１５は、収容ポケットＳに対してカップ体４を着脱するための部分である。開口部１５は、例えば裏当部１３に直線状の切り込みを入れることによりスリット状に形成されている。裏当部１３に伸縮性を有する生地を用いている場合には、直線状の切り込みを入れることで、上下端が尖った略楕円形状の開口部１５が形成される。
【００３０】  開口部１５は、収容ポケットＳ内に配置されたカップ体４における連結部１２の縁部と重ならない位置に設けられている。本実施形態では、開口部１５は、前中心部分においてカップ体４の連結部１２の上縁部１２ａよりも上方に位置している。したがって、開口部１５からは収容ポケットＳ内のカップ体４自体が露出せず、バスト部５の裏側の生地のみが開口部１５を通して視認し得る状態となっている。なお、開口部１５の位置は、カップ体４における左右のカップ１１，１１の最上点の位置と同じであってもよく、最上点の位置よりも下方であってもよい。
【００３１】  図４に示す例では、開口部１５の連結方向の中心が前中心と一致し、開口部１５は前中心について左右対称となっている。しかしながら、開口部１５の左右位置はこれに限られるものではなく、連結部１２の縁部と重ならない程度であれば、前中心について左右のいずれかにずれていてもよい。
【００３２】  開口部１５の左右方向の長さＸは、図３及び図４に示すように、カップ体４の連結部１２の上下幅（最小幅）Ｙよりも大きくなっている。また、開口部１５の左右方向の長さＸは、カップ１１の上下幅Ｚよりも小さくなっている。連結部１２の上下幅Ｙ及びカップ１１の上下幅Ｚは、例えばカップ体４を平面に載置したときの平面視における幅を基準とすればよい。
【００３３】  カップ体４を収容ポケットＳに収容する場合、例えばカップ体４を上下に折り畳み、折り畳んだ状態のカップ体４の両端部を左右に順次開口部１５に通してカップ体４を収容ポケットＳ内に挿入すればよい。また、カップ体４を収容ポケットＳから取り外す場合、例えば開口部１５越しにカップ体４の連結部１２を把持し、開口部１５からカップ体４を引き抜くようにすればよい。
【００３４】  また、裏当部１３は、図４に示すように、結合領域Ｌにおいてバスト部５の裏側に結合されている。本実施形態では、結合領域Ｌは、裏当部１３の上部を結合する第１の結合領域Ｌ１と、裏当部１３の下部を結合する第２の結合領域Ｌ２と、裏当部１３の左右の脇部を結合する第３の結合領域Ｌ３とを有している。
【００３５】  第１の結合領域Ｌ１は、裏当部１３の張出部１４を肩ストラップ部３に結合すると共に、裏当部１３の上縁部１３ａをバスト部５の上縁部５ａに結合している。第１の結合領域Ｌ１の上縁部Ｌ１ａは、バスト部５の上縁部５ａに沿って延在している。第１の結合領域Ｌ１の下縁部Ｌ１ｂは、全体として下方に向かって緩やかに湾曲し、裏当部１３の左右の脇側上部１３ｃ，１３ｃの略中間部分同士を結ぶように延在している。この第１の結合領域Ｌ１の下縁部Ｌ１ｂには、前中心部分において凹部２０が設けられている。凹部２０の横幅は、開口部１５の左右方向の長さＸと一致しているか、若しくは開口部１５の左右方向の長さＸよりも僅かに（例えば２ｍｍ以下の範囲で）長くなっている。
【００３６】  第２の結合領域Ｌ２は、裏当部１３の下縁部１３ｂをバスト部５の下縁部５ｂの上方位置に結合している。第２の結合領域Ｌ２の上縁部Ｌ２ａは、第１の結合領域Ｌ１よりも大きい湾曲度で全体として上方に向かって湾曲し、裏当部１３の下縁部１３ｂの左右の最下点同士を結ぶように延在している。第２の結合領域Ｌ２の下縁部Ｌ２ｂは、裏当部１３の下縁部１３ｂの湾曲形状に沿い、裏当部１３の左右の脇側下部１３ｄ，１３ｄの下端同士を結ぶように延在している。
【００３７】  第３の結合領域Ｌ３は、裏当部１３の脇側上部１３ｃをバスト部５の脇側上部５ｃに結合し、裏当部１３の脇側下部１３ｄをバスト部５の脇側下部５ｄに結合している。第３の結合領域Ｌ３は、裏当部１３の脇側上部１３ｃの縁及び脇側下部１３ｄの縁に沿って幅細の帯状に延在している。
【００３８】  上述した開口部１５は、バスト部５を裏側から見た場合に、第１の結合領域Ｌ１の下縁部Ｌ１ｂにおいて前中心部分に設けられた凹部２０の位置に配置されている。凹部２０の位置に配置された開口部１５の左右方向の一端部１５ａは、凹部２０を画成している第１の結合領域Ｌ１の下縁部Ｌ１ｂと接するか、若しくは僅かに離間した状態となっている。同様に、凹部２０の位置に配置された開口部１５の左右方向の他端部１５ｂは、凹部２０を画成している第１の結合領域Ｌ１の下縁部Ｌ１ｂと接するか、若しくは僅かに離間した状態となっている。凹部２０の深さ方向（上下方向）に対する開口部１５の上下方向の位置には特に制限はないが、凹部２０の深さ方向の中心位置に開口部１５の上下方向の中心位置が一致していてもよい。
【００３９】  結合領域Ｌには、複数の接着部Ｐが設けられている。複数の接着部Ｐは、接着材の硬化物である。接着部Ｐは、例えば図５に示すように、正面視において円形状をなしており、結合領域Ｌ内で千鳥状或いは格子状に点在している。接着部Ｐを形成する接着剤としては、例えば乾燥硬化型、湿気硬化型、或いは反応硬化型の接着剤を用いることができる。
【００４０】  接着部Ｐのうち、第１の結合領域Ｌ１の凹部２０に位置する接着部Ｐの少なくとも一つは、開口部１５の延在方向に交差する方向に延在した形状となっている。本実施形態では、凹部２０に位置する接着部Ｐのうち、開口部１５の左右方向の一端部１５ａに最も近接している接着部Ｐａが、開口部１５の上下方向に直交する方向を長軸とする長円状若しくは略楕円形状となっている。また、凹部２０に位置する接着部Ｐのうち、開口部１５の左右方向の他端部１５ｂに最も近接している接着部Ｐｂが、開口部１５の上下方向に直交する方向を長軸とする長円状若しくは略楕円形状となっている。
【００４１】  以上説明したように、上半身衣類１では、左右一対のカップ１１，１１が前中心側の連結部１２によって連結された一体成型のカップ体４が用いられている。カップ体４が収容される収容ポケットＳには、前中心部分において左右一対のカップ１１，１１の連結方向に延びる開口部１５が設けられている。この開口部１５により、収容ポケットＳに対するカップ体４の着脱が容易となる。また、上方に開口する収容ポケットＳを採用する場合とは異なり、収容ポケットＳに収容されたカップ体４の位置ずれや回転を防ぐことが可能となる。したがって、着用後にカップ体４の位置を手直しする必要もなく、着脱自在のカップ体４を着用者のバストに対して安定して密着させることができる。また、上半身衣類１では、開口部１５の延在方向と左右一対のカップ１１，１１の連結方向とが揃うことで、開口部１５からのカップ体４のはみ出しを抑制できる。したがって、カップ体４が肌に当たることを抑制でき、着用時の肌当たりを良好に保つことができる。
【００４２】  また、上半身衣類１では、開口部１５がカップ体４の連結部１２の縁部と重ならない位置に設けられている。すなわち、収容ポケットＳ内のカップ体４における連結部１２の上縁部１２ａが開口部１５から露出しない状態となっている。これにより、カップ体４の連結部１２の上縁部１２ａが肌に当たることを防止できる。連結部１２の上縁部１２ａによる段差が肌に当たらなくなることで、着用時の肌当たりを一層良好に保つことができる。
【００４３】  また、上半身衣類１では、開口部１５の連結方向の長さＸは、カップ体４の連結部１２の上下幅Ｙよりも大きく、かつカップ１１の上下幅Ｚよりも小さくなっている。これにより、収容ポケットＳに対するカップ体４の着脱容易性と、収容ポケットＳ内でのカップ体４の安定性とを好適に両立できる。
【００４４】  また、上半身衣類１では、開口部１５が前中心部分においてカップ体４の連結部１２の上縁部１２ａよりも上方に位置していてもよい。これにより、開口部１５とカップ体４とが重ならなくなるため、開口部１５からのカップ体４のはみ出しをより確実に抑制できる。したがって、カップ体４が肌に当たることを更に抑制でき、着用時の肌当たりを一層良好に保つことができる。
【００４５】  また、上半身衣類１では、収容ポケットＳがバスト部５において本体部２の裏側に裏当部１３を結合することによって形成されており、本体部２と裏当部１３との結合領域Ｌには、接着部Ｐが点在している。このような構成により、収容ポケットＳを十分な強度で形成することができる。
【００４６】  また、上半身衣類１では、本体部２と裏当部１３とを結合する第１の結合領域Ｌ１の下縁部Ｌ１ｂにおいて、前中心部分に凹部２０が設けられており、開口部１５が凹部２０の位置に設けられている。こうすると、開口部１５を囲うように第１の結合領域Ｌ１を近接配置することが可能となる。開口部１５は、カップ体４の着脱の際などに力がかかり易い部分である。したがって、開口部１５に第１の結合領域Ｌ１を近接配置することで、開口部１５の耐久性を高めることができる。
【００４７】  また、上半身衣類１では、接着部Ｐのうち、開口部１５における連結方向の一端部１５ａに最も近接している接着部Ｐａ及び他端部１５ｂに最も近接している接着部Ｐｂが、開口部１５の延在方向に交差する方向に延在した形状を有している。これにより、開口部１５における連結方向の一端部１５ａ付近及び他端部１５ｂ付近での本体部２と裏当部１３との結合強度が十分に高められる。開口部１５における連結方向の一端部１５ａ及び他端部１５ｂは、カップ体４の着脱の際などに最も力がかかり易い部分である。したがって、開口部１５における連結方向の一端部１５ａ付近及び他端部１５ｂ付近の結合強度を高めることで、開口部１５の耐久性を一層高めることができる。［第２実施形態］
【００４８】  図６は、第２実施形態に係る上半身衣類を裏返して示す正面図である。同図に示すように、第２実施形態に係る上半身衣類３１は、開口部３５が前中心部分においてカップ体４の連結部１２の下縁部１２ｂよりも下方に位置している点で、上記第１実施形態と異なっている。この上半身衣類３１では、第２の結合領域Ｌ２の上縁部Ｌ２ａの前中心部分において凹部４０が設けられている。凹部４０の横幅は、第１実施形態の凹部２０と同様に、開口部３５の左右方向の長さＸと一致していてもよく、開口部３５の左右方向の長さＸよりも僅かに（例えば２ｍｍ以下の範囲で）長くなっていてもよい。
【００４９】  開口部３５は、バスト部５を裏側から見た場合に、凹部４０の位置に配置されている。凹部４０の位置に配置された開口部３５の左右方向の一端部３５ａは、凹部２０を画成している第２の結合領域Ｌ２の上縁部Ｌ２ａと接するか、若しくは僅かに離間した状態となっている。同様に、凹部４０の位置に配置された開口部３５の左右方向の他端部３５ｂは、凹部４０を画成している第２の結合領域Ｌ２の上縁部Ｌ２ａと接するか、若しくは僅かに離間した状態となっている。凹部２０の深さ方向に対する開口部３５の上下方向の位置には特に制限はないが、凹部２０の深さ方向の中間位置に開口部３５の上下方向の中心位置が一致していてもよい。
【００５０】  このような上半身衣類３１においても、第１実施形態と同様の効果を奏し、開口部３５からのカップ体４のはみ出しを抑制することで、着用時の肌当たりを良好に保つことができる。また、上半身衣類３１では、開口部３５が前中心部分においてカップ体４の連結部１２の下縁部１２ｂよりも下方に位置しているため、収容ポケットＳ内のカップ体４における連結部１２の下縁部１２ｂが開口部３５から露出しない状態となっている。これにより、カップ体４の連結部１２の下縁部１２ｂが肌に当たることを防止できる。連結部１２の下縁部１２ｂによる段差が肌に当たらなくなることで、着用時の肌当たりを一層良好に保つことができる。また、着用状態のままでもバスト部５の下縁部５ｂ側から開口部３５に手を差し入れることで、収容ポケットＳからカップ体４を容易に脱抜することが可能となる。
【００５１】  第２実施形態においても、開口部３５の連結方向の長さＸは、カップ体４の連結部１２の上下幅Ｙよりも大きく、かつカップ１１の上下幅Ｚよりも小さくなっていることが好ましい。これにより、収容ポケットＳに対するカップ体４の着脱容易性と、収容ポケットＳ内でのカップ体４の安定性とを好適に両立できる。
【００５２】  また、第２実施形態においても、接着部Ｐのうち、第２の結合領域Ｌ２の凹部４０に位置する接着部Ｐの少なくとも一つは、開口部３５の延在方向に交差する方向に延在した形状となっていることが好ましい。すなわち、凹部４０に位置する接着部Ｐのうち、開口部３５の左右方向の一端部３５ａ及び他端部３５ｂに最も近接している接着部Ｐａが、開口部３５の上下方向に直交する方向を長軸とする略楕円形状となっていることが好ましい。これにより、開口部３５における連結方向の一端部３５ａ付近及び他端部３５ｂ付近の結合強度が高められ、開口部３５の耐久性を高めることができる。［第３実施形態］
【００５３】  図７は、第３実施形態に係る上半身衣類を裏返して示す正面図である。同図に示すように、第３実施形態に係る上半身衣類４１は、開口部４５が前中心部分においてカップ体４と重なるように位置している点で、上記第１実施形態及び上記第２実施形態と異なっている。この上半身衣類４１では、開口部４５の上下位置は、例えばカップ体４の連結部１２の上下方向の中心位置と一致している。このため、連結部１２の上縁部１２ａ及び下縁部１２ｂのいずれもが、開口部４５から露出しない状態となっている。なお、開口部４５の上下位置は、開口部４５から連結部１２の上縁部１２ａ及び下縁部１２ｂのいずれかが露出しない範囲において、カップ体４の連結部１２の上下方向の中心位置からずれていてもよい。
【００５４】  このような上半身衣類４１においても、第１実施形態と同様の効果を奏し、開口部４５からのカップ体４のはみ出しを抑制することで、着用時の肌当たりを良好に保つことができる。また、上半身衣類４１では、収容ポケットＳ内のカップ体４における連結部１２の上縁部１２ａ及び下縁部１２ｂが開口部４５から露出しない状態となっている。これにより、カップ体４の連結部１２の上縁部１２ａ及び下縁部１２ｂが肌に当たることを防止できる。連結部１２の上縁部１２ａ及び下縁部１２ｂによる段差が肌に当たらなくなることで、着用時の肌当たりを一層良好に保つことができる。
【００５５】  第３実施形態においても、開口部４５の連結方向の長さＸは、カップ体４の連結部１２の上下幅Ｙよりも大きく、かつカップ１１の上下幅Ｚよりも小さくなっていることが好ましい。これにより、収容ポケットＳに対するカップ体４の着脱容易性と、収容ポケットＳ内でのカップ体４の安定性とを好適に両立できる。［他の変形例］
【００５６】  本発明は、上記実施形態に限られるものではない。例えば上記実施形態では、裏当部１３を本体部２に結合することによりバスト部５に収容ポケットＳを形成しているが、裏当部１３を用いずに本体部２の編み組織によって袋状部分を構成し、バスト部５に収容ポケットＳを形成してもよい。この場合、裏当部１３や結合領域Ｌにおける接着部Ｐが不要となり、構成の簡単化及び製造工程の簡単化が図られる。また、例えば上記実施形態では、本体部２と裏当部１３とが接着剤の硬化物である接着部Ｐによって結合されているが、本体部２と裏当部１３との結合方法はこれに限られず、接着シートによる接着、樹脂シートによる溶着、或いは縫着といった他の方法を用いてもよい。
【００５７】  また、上記実施形態では、上下端が尖った略楕円形状の開口部を例示したが、開口部の形状はこれに限られるものではない。例えば図８（ａ）に示すように、長方形状の開口部１５Ａであってもよく、図８（ｂ）に示すように、菱形状の開口部１５Ｂであってもよい。また、例えば図８（ｃ）に示すように、長円状の開口部１５Ｃであってもよい。この開口部１５Ｃでは、中央部分が長方形状をなし、長手方向の両端部が略半円形状となっている。
【００５８】  また、上記実施形態では、裏当部１３の下縁部１３ｂの中央部分が連結部１２の下縁部１２ｂの湾曲形状に応じた湾曲形状をなしているが（図４参照）、裏当部１３の下縁部１３ｂがバスト部５の下縁部５ｂの近傍において当該下縁部５ｂに沿い、下縁部５ｂの近傍まで延在した裏当部１３の左右の脇側下部１３ｄ，１３ｄの下端同士を結ぶように直線状に延在していてもよい。上半身衣類１の首刳りにおいて、裏当部１３の上縁部１３ａがバスト部５の上縁部５ａよりも上方に張り出した状態となっていてもよい。
【００５９】  また、肩ストラップ部３の構成も上記実施形態に限られない。例えば首刳りの端始末であるパイピングと、袖刳りの端始末であるパイピングとを結合して肩ストラップ部３を構成してもよい。また、肩ストラップ部３を有しない本体部２の上縁に別のテープ部材を結合して肩ストラップ部３を構成してもよい。肩ストラップ部３の接続先であるバスト部５の上縁部５ａ及び背部上部６の上縁部６ａは、横方向（水平方向）に一直線状としてもよい。肩ストラップ部３は、必ずしも設けなくともよい。上半身衣類１の裾に相当するバスト部５の下縁部５ｂ及び背部上部６の下縁部６ｂは、湾曲状や波線状であってもよい。また、袖刳り及び首刳りは、波線状であってもよい。
【００６０】  上記実施形態では、上半身衣類としてハーフトップを例示したが、本発明を適用する上半身衣類としては、ハーフトップのほか、キャミソール、タンクトップなどが挙げられる。
【符号の説明】
【００６１】  １，３１，４１…上半身衣類、２…本体部、４…カップ体、５…バスト部、１１…カップ、１２…連結部、１３…裏当部、１５，１５Ａ〜１５Ｃ，３５，４５…開口部、１５ａ，３５ａ…一端部、１５ｂ，３５ｂ…他端部、２０，４０…凹部、Ｌ（Ｌ１〜Ｌ３）…結合領域、Ｐ，Ｐａ，Ｐｂ…接着部、Ｓ…収容ポケット、Ｘ…開口部の上下方向の長さ、Ｙ…連結部の上下幅、Ｚ…カップの上下幅。
【図１】
2019198214.tif 000003
【図２】
2019198214.tif 000004
【図３】
2019198214.tif 000005
【図４】
2019198214.tif 000006
【図５】
2019198214.tif 000007
【図６】
2019198214.tif 000008
【図７】
2019198214.tif 000009
【図８】
2019198214.tif 000010
【国際調査報告】
2019198214.tif 000011
2019198214.tif 000012
2019198214.tif 000013
2019198214.tif 000014